(57)【特許請求の範囲】
【請求項１】
線状の凹凸構造が形成された偏光層を背面に、λ／４の位相差値を有する位相差層を表示面に配する真贋判定用の積層体であって、前記偏光層が深さ１００〜５００ｎｍ、中心線間距離１５０ｎｍ以上の凹凸構造を有し、該凹凸構造が前記位相差層の位相差光軸に対して±４５°に位置するように配置して円偏光子機能を付与したパターンと、且つ、前記凹凸構造を位相差光軸に対して、０°および９０°に位置するように配置して直線偏光子機能を付与したパターンとからなることを特徴とする真贋判定用の積層体。
【請求項２】
前記凹凸構造の表面に金属薄膜からなる反射層を設けることを特徴とする請求項１に記載の真贋判定用の積層体。
【請求項３】
前記位相差層が、液晶または樹脂フィルムからなることを特徴とする請求項１または２に記載の真贋判定用の積層体。
【発明の詳細な説明】
【技術分野】
【０００１】
本発明は、例えば、偽造防止効果、装飾効果及び／又は美的効果を提供する表示技術に関する。
【背景技術】
【０００２】
クレジットカード及び紙幣などの物品には、その偽造を防止することなどを目的として、特殊な視覚効果を有した光学素子が貼り付けられている。また、同様の目的で、物品を包装する包装体に光学素子を貼り付けることがある。さらに、装飾効果や美的効果を狙って、このような光学素子が物品に貼り付けられることがある。
【０００３】
このような例として、特許文献１または２に記載される光学素子が存在する。これらの光学素子では、互いに異なる偏光を生じさせる２つの偏光子が潜像を形成している。これらの潜像は、別の偏光子を介して観察したときに高コントラスト比の像として視認可能となる。しかしながら、これらの光学素子では直線偏光が利用されており、最適な表示のためには、検証器としての偏光フィルムを光学素子に対して一定の角度に維持する必要があり、操作が煩雑となる。特に、光学素子を例えばステッカーとして物品の立体的な部位に貼り付ける場合、検証器に対する角度が部位によって異なるため、像全体を高いコントラストで表示させることは困難となる。
【０００４】
一方、特許文献３には、視認可能な観察角度の範囲を広くすることを課題する、円偏光子を利用した光学素子が記載されている。しかし、この光学素子では、複屈折性層を遅相軸が互いに異なる２つの部分に作りわける必要があるため、効率良く生産することが困難である。
【先行技術文献】
【特許文献】
【０００５】
【特許文献１】特開平９−１８３２８７号公報
【特許文献２】特表２００９−５３５６７０号公報
【特許文献３】特開２００８−１３９５０７号公報
【発明の概要】
【発明が解決しようとする課題】
【０００６】
本発明は、クレジットカード及び紙幣などの物品の偽造防止において、より高精度でセキュリティー性の高い、光学素子を有する真贋判定用の積層体を提供することを目的とする。
【課題を解決するための手段】
【０００７】
本発明は上記課題を解決する為のものであり、本発明の請求項１に係る発明は、線状の凹凸構造が形成された偏光層を背面に、λ／４の位相差値を有する位相差層を表示面に配する真贋判定用の積層体であって、前記偏光層が深さ１００〜５００ｎｍ、中心線間距離１５０ｎｍ以上の凹凸構造を有し、該凹凸構造が前記位相差層の位相差光軸に対して±４５°に位置するように配置して円偏光子機能を付与したパターンと、且つ、前記凹凸構造を位相差光軸に対して、０°および９０°に位置するように配置して直線偏光子機能を付与したパターンとからなることを特徴とする真贋判定用の積層体である。
【０００９】
また、本発明の請求項２に係る発明は、前記凹凸構造の表面に金属薄膜からなる反射層を設けることを特徴とする請求項１に記載の真贋判定用の積層体である。
【００１０】
また、本発明の請求項３に係る発明は、前記位相差層が、液晶または樹脂フィルムからなることを特徴とする請求項１または２に記載の真贋判定用の積層体である。
【発明の効果】
【００１１】
本発明により、クレジットカード及び紙幣などの物品の偽造防止において、より高精度でセキュリティー性の高い、光学素子を有する真贋判定用の積層体を提供することができる。
【図面の簡単な説明】
【００１２】
【図１】本発明の積層体の一実施形態を示す基本的な偏光子の平面概略図。
【図２】本発明の積層体の一実施形態を示す偏光子の平面概略図。
【図３】本発明の積層体の一実施形態を示す断面概略図。
【図４】本発明の積層体の一実施形態を示す平面概略図。
【発明を実施するための形態】
【００１３】
以下、本発明の態様について、図面を参照しながら詳細に説明する。なお、全ての図面を通じて同様又は類似した機能を発揮する構成要素には同一の参照符号を付し、重複する説明は省略する。
【００１４】
図１は、本発明の積層体の一実施形態を示す基本的な偏光子の平面概略図である。前記回折構造を位相差光軸に対して、９０°に位置するように配置した直線偏光子（１）と０°に位置するように配置した直線偏光子（１´）の異なる２種の直線偏光子機能と、前記回折構造を位相差光軸に対して、−４５°に位置するように配置した円偏光子（２）と＋４５°に位置するように配置した円偏光子（２´）の異なる２種の円偏光子機能からなる基本的な偏光子を示す。
【００１５】
図２は、本発明の積層体の一実施形態を示す偏光子の平面概略図である。図１に示す基本的な４つの異なる偏光子を組み合わせて様々なデザインを潜像として作成することができる。具体的な用途としては、様々なデザインを潜像として作成した積層体を、高度なセキュリティ性が要求されるパスポート、商品券やＢＰステッカーとして真贋判定に利用できる。
【００１６】
図３は、本発明の積層体の一実施形態を示す断面概略図である。具体的には偏光層（３）上に基本的な偏光子の組み合わせで凹凸形状（６）を形成し、その上に金属などの薄膜を施して反射層（５）を設け、さらにその上に位相差層（４）を設けて積層体（１０）を得る。
【００１７】
図４は、偏光層（３）上に図１に示す基本的な偏光子の組み合わせで凹凸構造（６）を形成した、本発明の積層体の一実施形態を示す平面概略図である。
【００１８】
＜積層体＞
本発明に係る積層体（１０）は図３に示すように、偏光層（３）およびそれに向かい合った）位相差層（４）を含んでいる。積層体（１０）の前面、すなわち表示面は位相差層（４）側の面であり、積層体（１０）の背面は偏光層（３）である。
【００１９】
＜偏光層＞
本発明に係る偏光層は、線状の凹凸構造が形成された樹脂層と、該凹凸構造をアルミニウムなどの金属やアルミニウム合金などの合金からなる金属薄膜で覆う反射層（５）から構成される。
【００２０】
前記樹脂層は、線状の凹凸構造（６）が形成できるものであれば特に限定されない。例えば、汎用の熱可塑性樹脂や紫外線硬化型樹脂などが使用できる。
【００２１】
前記、線状の凹凸構造（６）は偏光機能を有するように設計されていてる。ここにいう偏光分離機能とは、端的には、自然光として可視域内の少なくとも一部の波長範囲内の光を照射したときに、反射光として直線偏光または自然光に直線偏光が混ざってなる部分偏光を射光する機能である。特に凹凸構造の溝の長さ方向に依存した偏光分離機能を示し、より効果的な偏光分離機能を引き出す為には、前記凹凸構造の溝の深さ１００〜５００ｎｍ、中心線間距離１５０ｎｍ以上が好ましい。
【００２２】
上記偏光層の線状の凹凸構造を形成方法としては、凹凸構造（６）が形成できる方法であれば限定するものではない。例えば、下記の位相差層上に、前記樹脂を塗布し、凹凸構造（６）を別途作製の偏光子形成用エンボス版にてエンボス形成し、その後、前記凹凸構造（６）を金属薄膜で覆うように反射層（５）を形成して作製することができる。あるいは別途、前記樹脂層に凹凸構造（６）を形成し、その裏面に接着層を設けた転写箔を作製し、位相差層（４）に転写して偏光層（３）を作製することも出来る。
【００２３】
また、前記反射層（５）は、凹凸構造の偏光分離効果を向上させるためのものであり、アルミニウムなどの金属やアルミニウム合金などの合金からなる金属材料の薄膜層からなる。前記薄膜層は、蒸着法やスパッタ法などの気相薄膜形成方法などにより形成することができる。
【００２４】
＜位相差層＞
本発明に係る位相差層（４）は、液晶もしくは樹脂フィルムを用いることができ、複屈折性の層であり、その主面に平行な光学軸を有している。
【００２５】
本発明の真贋判定用の積層体（１０）は、例えば、表示面である位相差層（４）が有する光学軸に対して、背面の偏光層（３）の線状の凹凸構造をいろいろな角度で配置することにより、様々な角度の偏光機能を付与することができ、その結果、様々な潜像をデザインすることができる。
【００２６】
例えば液晶の場合、△ｎ＝０．１の複屈折を有する液晶は、膜厚１．４μｍでおよそλ／４の位相差を持つことが知られている。前記液晶を、配向処理したフィルムまたは延伸フィルムの分子配向に沿って並べることで位相差層（４）を得ることができる。なお、延伸フィルムは樹脂フィルムを一軸延伸することにより得られる。樹脂フィルムを一軸延伸すると、樹脂の構成分子またはその官能基が延伸方向に配向し、その結果、樹脂フィルムに複屈折性が生じる。
【００２７】
また、例えばセロファンフィルムやポリカーボネートフィルムなどの市販の位相差フィルムを使用することもできる。
【００２８】
以下、位相差層（４）の作用について、ここではλ／４の位相差値を有する位相差層を例により具体的に説明する。
【００２９】
位相差層（４）は、波長がλの自然光を入射させたときに、電界ベクトルの振動方向が遅相軸に対して平行な直線偏光を、電界ベクトルの振動方向が遅相軸に対して垂直な直線偏光に対してλ／４だけ遅延させて透過させる。このため、位相差層（４）に直線偏光を透過させると、その偏光面が遅相軸に対して斜めである場合、位相差層（４）は、透過光として円偏光または楕円偏光を射出する。なお、ここでは、ある直線偏光の「偏光面」は、その直線偏光の進行方向と電界ベクトルの振動方向とに対して平行な平面であるとする。
【００３０】
例えば、上記の位相差層（４）の位相差光軸に対して、９０°に位置するように配置した直線偏光子（１）と０°に位置するように配置した直線偏光子（１´）の異なる２種の直線偏光子機能と、前記回折構造を位相差光軸に対して、−４５°に位置するように配置した円偏光子（２）と＋４５°に位置するように配置した円偏光子（２´）の異なる２種の円偏光機能からなる基本的な偏光子を、デザインに応じて前記偏光層に設けることができる。
【００３１】
上記の積層体の前面を白色光で照明し、その反射光を、円偏光子を介して観察した場合、例えば、一方の円偏光子（２）が明るく見え、且つ他方の円偏光子（２´）が暗く見えるか、または、一方の円偏光子（２）が暗く見え、且つ他方の円偏光子（２´）が明るく見える。すなわち、円偏光子を用いることで潜像を可視化することができ、セキュリティー性の高い真贋判定用の積層体を得ることができる。
【００３２】
＜用途＞
本発明の積層体（１０）は、紙幣、商品券、パスポートなどの真贋判定に利用する表示体として使用することができる。例えば、真正品としての物品に前記積層体をラベルとして、あるいは転写箔として転写法により貼り付け、検証具である円偏光子を介して観察し、潜像の可視化と所定の像を視認できれば真正品として判断し、視認できなければ偽造品と判断することができる。
【実施例】
【００３３】
以下に実施例により本発明を具体的に説明する。
【００３４】
＜実施例１＞
［偏光子形成用エンボス版の作製］
ガラス基板に膜厚０．６μｍのポジレジストを塗布し、そのポジレジスト面に電子線描画機を用いて方向の異なる（用いる位相差層の位相差光軸に対して、０°、９０°、４５°、−４５°）線状の凹凸構造を形成し、その後現像して、深さ４００ｎｍ、中心線間３００ｎｍの凹凸構造からなる、異なる偏光子が形成されたガラス原版を作製した。
【００３５】
次に、上記凹凸構造が形成された側のガラス原版上に、スパッタリング法により導電性薄膜（Ｎｉ）を設け、その後、Ｎｉのメッキを施して、前記ガラス基板と剥離して複版を作製しエンボス版を得た。
【００３６】
［偏光子の作製］
次に、以下の手順で偏光子を有する転写箔を作製した。
厚さ１９μｍのポリエステルフィルム（東レ社製、商品名「ルミラー１９５２８」）の一方の面上に、アクリル系剥離剤（ＰＭＭＡ）を、乾燥後の膜厚が２μｍになるようにグラビアコーティング法により塗布して剥離層を設けた。その後、前記剥離層上にＵＶ硬化型樹脂（和信化学工業社製、「ポリスター２００」）を膜厚２μｍで塗布し、その塗布面に前記エンボス版を押し付け、前記ポリエステルフィルムの他方の面側から２００ｍＪ／ｃｍ２の紫外線を照射して硬化した。その後、前記ポリエステルフィルムとエンボス版を
剥がして、前記ポリエステルフィルム面に異なる凹凸構造からなる格子偏光子を形成した。
【００３７】
次に、上記ポリエステルフィルム全面に膜厚５０ｎｍのＡｌ蒸着薄膜を形成し、その上に塩酢ビ系のマスクインク（東洋インキ社製、「ＬＰＶＭＳ  ＯＰワニス」）を用いて、上記凹凸構造表面に同調させて印刷して、その後アルカリエッチングにより凹凸構造表面以外のＡｌ蒸着薄膜を削除し、前記マスクインクを残したままで、Ａｌ薄膜を反射層とする凹凸構造を有する偏光子を形成した。
［転写箔の作製］
上記偏光子を形成した側のポリエステルフィルムの全面に、シリカフィラーを分散させた塩化ビニル−酢酸ビニル共重合体からなる接着剤（和信化学工業社製、「プラスコート
ＵＡ−１」）を用いて、厚さ２μｍの接着層を形成し、偏光子の転写箔を作製した。
【００３８】
［積層体の作製］
次に、膜厚２１μｍの一軸延伸セロハンフィルムをλ／４の位相差値を有する位相差層として用い、この一軸延伸セロハンフィルムと上記偏光子の転写箔の接着層側と重ね、表面温度２００℃のゴムロールにて加圧し、冷却後、前記転写箔の支持体であるポリエステルフィルムから剥離して真贋判定用の積層体を得た。
【００３９】
＜実施例２＞
実施例１と同様にして偏光子形成用エンボス版を作製した。
【００４０】
次に、膜厚２１μｍの一軸延伸セロハンフィルムをλ／４の位相差値を有する位相差層として用い、一方の面にＵＶ硬化型樹脂（和信化学工業社製、「ポリスター  ２００」）を膜厚２μｍで塗布し、その塗布面に前記ポリエステルフィルムを支持体とするエンボス版を押し付け、前記セロハンフィルムの他方の面側から下記条件の紫外線を照射して硬化した。その後、前記エンボス版を剥がして真贋判定用の積層体を得た。
【００４１】
＜実施例３＞
下記の位相差層以外は実施例２と同様にして真贋判定用の積層体を得た。
膜厚１５μｍの一軸延伸フィルム（ユニチカ社製、「ＮＣ−１５ＲＴ」）の一方の面に、△ｎ＝０．１の複屈折を有する液晶（ＢＡＳＦ社製、「Ｌｕｍｏｇｅｎ  Ｓ２５０」）を、膜厚１．４μｍで塗布し、その後硬化させてλ／４の位相差値を有する位相差層を作製した。
【００４２】
［積層体の検証］
実施例1〜３で得られた本発明品を、円偏光フィルムを介して視認したところ潜像が見えた。また、前記円偏光フィルムと異なる方向の円偏光フィルムを介して視認したところ、前記潜像とは異なる潜像が見えた。
【符号の説明】
【００４３】
１            ９０°の直線偏光、
１´            ０°の直線偏光
２            −４５°の円偏光
２´          ＋４５°の円偏光
３            偏光層
４            位相差層
５            反射層
６            凹凸構造
１０          積層体
【図１】
0005779985.tif 000002
【図２】
0005779985.tif 000003
【図３】
0005779985.tif 000004
【図４】
0005779985.tif 000005